(57)【要約】      （修正有）【課題】クッション材を簡単に開放できるようにした引戸端面のクッション材取り付け部構造を提供する。【解決手段】クッション材１４は硬質樹脂により一体成型された係合部３０，３１を備える。一方の係合部３０は引戸１の室外側に向く一方の支持金具２９の鉤型部２９ｃと板部２９ｄで形成される鉤型の溝２９ａと同形状の鉤型部３０ａと、前記鉤型の溝２９ａの鉤型部２９ｃの外面に当接する板部３０ｂとからなる。他方の係合部３１は引戸１の室内側に向く他方の支持金具２９の鉤型部２９ｃと板部２９ｄで形成される鉤型の溝２９ａの鉤型部２９ｃに先端が鈍角で傾斜する先端部３１ａが係止し外面に突部３１ｂが形成された係止片３１ｃと、鉤型の溝２９ａの鉤型部２９ｃの外面に当接する板部３１ｄとからなる。【選択図】図７
0003153747.tif 000002
【実用新案登録請求の範囲】
【請求項１】
引戸の戸先側端部において合成樹脂製で断面Ｕ字状のクッション材が取り付けられた引戸端面のクッション材取り付け部構造であって、クッション材は引戸の戸先側端部における引戸の両角部に上下方向全長に亘って取り付けた支持金具の鉤型の溝に内側から係合するように遊端部に硬質樹脂によりクッション材と一体成型された係合部を備え、前記両支持金具の溝は互いに向き合うように形成されており、クッション材と一体成型された係合部の内、一方の係合部は引戸の室外側に向く一方の支持金具の鉤型部と板部で形成される鉤型の溝と同形状を呈する鉤型部と前記鉤型の溝の鉤型部の外面に対して当接する板部とからなり、他方の係合部は引戸の室内側に向く他方の支持金具の鉤型部と板部で形成される鉤型の溝と同形状ではなく、先端が鈍角で傾斜して先端部が前記鉤型部に係止し外面に突部が形成された係止片と前記鉤型の溝の鉤型部の外面に対して当接する板部とから構成されていることを特徴とする引戸端面のクッション材取り付け部構造。
【請求項２】
引戸の戸先側端部において合成樹脂製で断面Ｕ字状のクッション材が取り付けられた引戸端面のクッション材取り付け部構造であって、クッション材は引戸の戸先側端部における引戸の両角部に上下方向全長に亘って取り付けた支持金具の鉤型の溝に内側から係合するように遊端部に硬質樹脂によりクッション材と一体成型された係合部を備え、前記両支持金具の溝は互いに向き合うように形成されており、クッション材と一体成型された両係合部は両支持金具の鉤型部と板部で形成される鉤型の溝と同形状ではなく、先端が鈍角で傾斜して先端部が前記鉤型部に係止し外面に突部が形成された係止片と前記鉤型の溝の鉤型部の外面に対して当接する板部とから構成されていることを特徴とする引戸端面のクッション材取り付け部構造。
【考案の詳細な説明】
【技術分野】
【０００１】
本考案は、引戸の戸先側端部にクッション材を取り付けるための引戸端面のクッション材取り付け部構造に関するものである。
【背景技術】
【０００２】
従来のこの種引戸装置において、引戸の戸先側端部にクッション材を取り付けたものとして、例えば特許文献１に開示されているように、引戸の戸先側端部に錠箱が埋設され、この錠箱内に内蔵された駆動部を摘み部の操作によって上下させることにより錠箱から突出した位置で動作部となるロッドを昇降させ、ロッドの先端側を出入り口の戸先寄りに設けられた係止片に対し係脱自在とする施錠装置を備え、引戸の戸先側端部に断面Ｕ字状のクッション材が取り付けられ、クッション材の内側に形成される中空部を利用して施錠装置の動作部となるロッドを配設するようにしたものが知られている。
【０００３】
つまり、施錠装置の動作部を前記クッション材で隠すことができるようにしたものである。
ところで、前記クッション材は引戸の戸先側端部における引戸の両角部に上下方向に取り付けたアルミ製の支持金具の溝にクッション材の遊端部に取り付けた装着金具を係合させることにより引戸の戸先側端部に装着されるものである。
【先行技術文献】
【特許文献】
【０００４】
【特許文献１】特開２００８−２５５７２９号公報
【考案の概要】
【考案が解決しようとする課題】
【０００５】
上記特許文献１に開示されている引戸装置の構成では、前記施錠装置の動作部を点検などする場合、引戸を開口部から一旦取り外し、その状態でクッション材を前記引戸の戸先側端面と平行にスライド移動させ、前記支持金具とクッション材の遊端部の装着金具との係合を解除させ、クッション材を引戸の戸先側端部から外さねばならなかった。
【０００６】
即ち、クッション材の内部を確認する必要が生じるたびに引戸を開口部から取り外さねばならず、その作業効率が悪いという問題があった。
本考案の目的は、このような課題を解決するものであり、例えばクッション材の内部に存在する施錠装置を確認する必要が生じた場合でも引戸を開口部から取り外してクッション材を引戸の戸先側端部から外すという作業を行なう必要なく、クッション材を簡単に開放でき、内部確認が行なえるようにした引戸端面のクッション材取り付け部構造を提供することにある。
【課題を解決するための手段】
【０００７】
本考案の請求項１に記載の引戸端面のクッション材取り付け部構造は、引戸の戸先側端部において合成樹脂製で断面Ｕ字状のクッション材が取り付けられた引戸端面のクッション材取り付け部構造であって、クッション材は引戸の戸先側端部における引戸の両角部に上下方向全長に亘って取り付けた支持金具の鉤型の溝に内側から係合するように遊端部に硬質樹脂によりクッション材と一体成型された係合部を備え、前記両支持金具の溝は互いに向き合うように形成されており、クッション材と一体成型された係合部の内、一方の係合部は引戸の室外側に向く一方の支持金具の鉤型部と板部で形成される鉤型の溝と同形状を呈する鉤型部と前記鉤型の溝の鉤型部の外面に対して当接する板部とからなり、他方の係合部は引戸の室内側に向く他方の支持金具の鉤型部と板部で形成される鉤型の溝と同形状ではなく、先端が鈍角で傾斜して先端部が前記鉤型部に係止し外面に突部が形成された係止片と前記鉤型の溝の鉤型部の外面に対して当接する板部とから構成されていることを特徴とする。
【０００８】
請求項２に記載の引戸端面のクッション材取り付け部構造は、引戸の戸先側端部において合成樹脂製で断面Ｕ字状のクッション材が取り付けられた引戸端面のクッション材取り付け部構造であって、クッション材は引戸の戸先側端部における引戸の両角部に上下方向全長に亘って取り付けた支持金具の鉤型の溝に内側から係合するように遊端部に硬質樹脂によりクッション材と一体成型された係合部を備え、前記両支持金具の溝は互いに向き合うように形成されており、クッション材と一体成型された両係合部は両支持金具の鉤型部と板部で形成される鉤型の溝と同形状ではなく、先端が鈍角で傾斜して先端部が前記鉤型部に係止し外面に突部が形成された係止片と前記鉤型の溝の鉤型部の外面に対して当接する板部とから構成されていることを特徴とする。
【考案の効果】
【０００９】
以上のように、本考案の請求項１における引戸端面のクッション材取り付け部構造は、引戸の室内側に向く他方の支持金具に係合する他方の係合部は他方の支持金具の前記鉤型部と板部で形成される鉤型の溝と同形状ではなく、先端が鈍角で傾斜して先端部が前記鉤型部に係止し外面に突部が形成された係止片と前記鉤型の溝の鉤型部の外面に対して当接する板部とから構成されているので、他方の係合部の外面に指を当てクッション材を室内側に変形するように摘み、その状態でクッション材を他方の支持金具から引き離すことに他方の支持金具に対する他方の係合部の係合が外れ、引戸を出入り口の開口部から取り外した状態で引戸からクッション材を取り外したりする必要がなく、クッション材の内部を簡単に開放することができる。
【００１０】
また、請求項２における引戸端面のクッション材取り付け部構造は、クッション材の遊端部に設けられる両係合部はそれぞれ支持金具の前記鉤型部と板部で形成される鉤型の溝と同形状ではなく、先端が鈍角で傾斜して先端部が前記鉤型部に係止し外面に突部が形成された係止片と前記鉤型の溝の鉤型部の外面に対して当接する板部とから構成されているので、両係合部の外面に指を当てクッション材を室内側に変形するように摘み、その状態でクッション材を支持金具から引き離すことに支持金具に対する係合部の係合が外れ、引戸を出入り口の開口部から取り外した状態で引戸からクッション材を取り外したりする必要がなく、引戸端面に対するクッション材のメンテや取替えのための脱着を容易に行なうことができる。
【図面の簡単な説明】
【００１１】
【図１】本考案の第１の実施の形態における引戸取り付け部の全体概略正面図である。
【図２】同引戸端面のクッション材取り付け部の分解斜視図である。
【図３】同引戸端面にクッション材を取り付けた状態での斜視図である。
【図４】同クッション材が取り付けられた引戸が閉じた状態での縦断面図である。
【図５】同クッション材が取り付けられた引戸が閉じた状態での横断面図である。
【図６】同クッション材が取り付けられた引戸が上枠に埋設されたレール部材に吊り下げられた状態の側面図である。
【図７】（Ａ）〜（Ｄ）は引戸側の支持金具からクッション材の係合を外す手順を示す説明図である。
【図８】本考案の第２の実施の形態におけるクッション材が取り付けられた引戸が閉じた状態での横断面図である。
【考案を実施するための形態】
【００１２】
以下、本考案の実施の形態を、図面を用いて具体的に説明する。
先ず、図１〜図７に示す第１の実施の形態について説明する。図において、１は引戸であって、建物内の部屋の出入り口において上枠２、戸先側竪枠３、戸尻側竪枠４および床部５で形成された開口部を開閉自在に設けられている。
【００１３】
引戸１の戸先側端部および戸尻側端部における上端には側面に開口する凹部６および７が形成され、この凹部６および７にそれぞれ、上端に戸車８を備える吊り金具９の下端基部１０が側方から脱着可能に埋設され、戸車８が引戸１の上端から上方に突出するように構成されている。
【００１４】
前記上枠２には下面に長さ方向全長に亘って凹部１１が形成され、この凹部１１内に前記戸車８を受ける門型のレール部材１２が埋設されている。
また、床部５には引戸１を開閉方向にガイドするガイドローラ１３が立設されている。
【００１５】
上記構成により、引戸１は戸車８がレール部材１２で受けられた状態で建物の出入り口の開口部を開閉自在となっており、取っ手部の図示は省略している。
ところで、前記引戸１の戸先側端部において合成樹脂製で断面Ｕ字状のクッション材１４が取り付けられ、このクッション材１４の内側に形成される中空部を利用して施錠装置１５の動作部１６を配設するようにしてある。前記施錠装置１５は引戸１の戸先側端部に錠箱１７が埋設され、この錠箱１７内に内蔵された駆動部を上下させることによって錠箱１７から突出した位置で動作部１６となるロッド１８を昇降させ、ロッド１８の上端の係止具１９を前記レール部材１２内の戸先寄りに設けられた係止部材２０に対し係脱自在としている。さらに詳しくは、前記錠箱１７内の駆動部は室内側に面する引戸１の内面側に取り付けられた摘み片２１によって回転するカムプレート（図示せず）と、このカムプレートの両端に係合しカムプレートの回転により互いに相反する方向に上下動するように設けられた一対の可動体（図示せず）と、この可動体に延設され錠箱１７のフロントプレート２２の縦溝２３から引戸１の戸先側に水平に突出する連結板２４，２４とから構成される。そして、この連結板２４，２４の内、上側の連結板２４に取り付けられる前記動作部１６は連結板２４に重なってねじ止めされる下端の取付片２５およびこの取付片２５の上部に繋がり前記ロッド１８の下端がねじ止めされる上端の取付片２６とからなるジョイント部材２７と、このジョイント部材２７の取付片２６にねじ止めされる前記ロッド１８と、このロッド１８の上端に取り付けた前記係止具１９とから構成され、前記引戸１の戸先側端部に取り付けられるクッション材１４の内側に形成される中空部内に収納されるように構成されている。なお、引戸１の戸先側端部における上端近傍には前記ロッド１８の上端の係止具１９の昇降を案内するガイド部材２８が取り付けられ、係止具１９はこのガイド部材２８に形成された孔部２８ａに嵌入した状態で昇降するようになっている。
【００１６】
次に、引戸１の戸先側端部に対する前記クッション材１４の取り付け部について説明すると、前記クッション材１４は引戸１の戸先側端部における引戸１の両角部に上下方向全長に亘って取り付けたアルミ製の支持金具２９，２９の溝２９ａ，２９ａにクッション材１４の遊端部に硬質樹脂によりクッション材１４と一体成型された係合部３０，３１を内側から係合させることにより引戸１の戸先側端部に装着されるものである。
【００１７】
そして、両支持金具２９の溝２９ａは引戸１の戸先側端面に当接するプレート２９ｂから直角に┐型に突設される鉤型部２９ｃと、この鉤型部２９ｃの内面に対向し前記クッション材１４の係合部３０，３１が係合する隙間を開けてプレート２９ｂから直角に突設される板部２９ｄとにより形成され、両支持金具２９の溝２９ａを形成する板部２９ｄは互いに平行状態で向き合い、両支持金具２９の溝２９ａが同一方向ではなく、互いに向き合うように形成されている。
【００１８】
前記クッション材１４と一体成型された係合部３０，３１の内、前記一方の係合部３０は引戸１の室外側に向く一方の支持金具２９の前記鉤型部２９ｃと板部２９ｄで形成される鉤型の溝２９ａと同形状を呈する鉤型部３０ａと前記溝２９ａの鉤型部２９ｃの外面に対して当接する板部３０ｂとからなり、この一方の係合部３０を一方の支持金具２９に対して脱着させるときはクッション材１４を一方の係合部３０に対してスライドさせることにより行なう。他方の係合部３１は引戸１の室内側に向く他方の支持金具２９に他方の支持金具２９の前記鉤型部２９ｃと板部２９ｄで形成される鉤型の溝２９ａと同形状ではなく、先端が鈍角で傾斜して先端部３１ａが前記鉤型部２９ｃに係止し、外面に突部３１ｂが形成された係止片３１ｃと前記溝２９ａの鉤型部２９ｃの外面に対して当接する板部３１ｄとから構成されている。そして、この他方の係合部３１を他方の支持金具２９に対して脱着させるときはクッション材１４の一方の係合部３０は一方の支持金具２９に係合した状態である。この他方の係合部３１を他方の支持金具２９に対して係合を外すときは、図７（Ａ）に示すように他方の係合部３１が他方の支持金具２９に係合した状態から図７（Ｂ）に示すように他方の係合部３１の外面に指を当てクッション材１４を室内側に変形するように摘み、その状態で図７（Ｃ）に示すようにクッション材１４を他方の支持金具２９から引き離すことに他方の支持金具２９に対する他方の係合部３１の係合が外れて図７（Ｄ）に示すような状態となる。
【００１９】
このように他方の支持金具２９に対するクッション材１４の他方の係合部３１の係合が外れた状態とすることにより、他方の係合部３１側からクッション材１４を大きく開くことができ、前記施錠装置１５の動作部１６などの保守、点検を行なうことができる。つまり、引戸１を出入り口の開口部から取り外し、この引戸１からクッション材を取り外したりする必要がなく、クッション材１４の内部を簡単に開放することができ、上記した施錠装置１５の動作部１６などの保守、点検を行なうことができる。なお、前記引戸１の戸先側端部および戸尻側端部における凹部６および７に対する吊り金具９の下端基部１０の脱着も容易に行なえるものである。
【００２０】
ところで、図面に示す実施の形態では一対の可動体に延設された連結板２４，２４の内、上側の連結板２４にのみ動作部１６が取り付けられて上端側で施錠するようにしているが、上側の連結板２４に動作部１６を取り付ける代わりに下側の連結板２４に動作部を取り付けて下端側で施錠することも可能であり、さらに上下の連結板２４に動作部を取り付けて上下両端で施錠することも可能である。
【００２１】
なお、他方の支持金具２９に対するクッション材１４の他方の係合部３１を係合させる場合は、他方の係合部３１の係止片３１ｃを他方の支持金具２９の鉤型の溝２９ａに押し込めば良い。
【００２２】
次に、図８に示す第２の実施の形態について説明すると、この実施の形態はクッション材１４の遊端部に硬質樹脂によりクッション材１４と一体成型される係合部３１，３１を共に前記第１の実施の形態の他方の係合部３１と同じ係合部としてあり、引戸１を出入り口の開口部から取り外すことなく、クッション材１４のメンテや取替えのためにクッション材１４を引戸１の戸先側端部に対して容易に脱着できるようにしたものである。なお、図中第１の実施の形態と同一符号は同一部材を示す。
【産業上の利用可能性】
【００２３】
本考案の引戸端面のクッション材取り付け部構造は、引戸の戸先側端部にクッション材を取り付けるための引戸端面のクッション材取り付け部構造である。
【符号の説明】
【００２４】
１          引戸
２          上枠
３          戸先側竪枠
４          戸尻側竪枠
５          床部
６，７      凹部
８          戸車
９          吊り金具
１０          下端基部
１１          凹部
１２          レール部材
１３          ガイドローラ
１４          クッション材
１５          施錠装置
１６          動作部
１７          錠箱
１８          ロッド
１９          係止具
２０          係止部材
２１          摘み片
２２          フロントプレート
２３          縦溝
２４          連結板
２５          取付片
２６          取付片
２７          ジョイント部材
２８          ガイド部材
２８ａ        孔部
２９          支持金具
２９ａ        溝
２９ｂ        プレート
２９ｃ        鉤型部
２９ｄ        板部
３０，３１    係合部
３０ａ        鉤型部
３０ｂ        板部
３１ａ        先端部
３１ｂ        突部
３１ｃ        係止片
３１ｄ        板部
【図１】
0003153747.tif 000003
【図２】
0003153747.tif 000004
【図３】
0003153747.tif 000005
【図４】
0003153747.tif 000006
【図５】
0003153747.tif 000007
【図６】
0003153747.tif 000008
【図７】
0003153747.tif 000009
【図８】
0003153747.tif 000010